(57)【要約】【課題】乳幼児が睡眠中に不必要な騒音にて驚くと共に、目覚めることなく、主婦が家事に専念できる乳幼児用耳栓を提供する。【解決手段】柔軟性の柔らかい弾性を有するシリコン系樹脂にて形成された乳幼児Ｃの左右両耳Ｃｂの外耳道Ｃｃに挿入される細状先端突部２と、更に大人の指先Ｈが挿入される左右一対の袋部４と、この左右一対の袋部４のそれぞれの側端に連ねられた紐とで成したことを特徴とする乳幼児用耳栓。【選択図】  図２
2013158645.tif 000002
【特許請求の範囲】
【請求項１】
柔軟性の柔らかい弾性を有するシリコン系樹脂にて形成された乳幼児の左右両耳の外耳道に挿入される細状先端突部と、更に大人の指先が挿入される左右一対の袋部と、この左右一対の袋部を互いに連結する伸長用ゴム紐とで成したことを特徴とする乳幼児用耳栓。
【請求項２】
前記左右一対の袋部は、細状先端突部との間に外耳道口に接する過挿入防止用張出し部を形成したことを特徴とした請求項１記載の乳幼児用耳栓。
【請求項３】
前記左右一対の袋部は、細状先端突部と過挿入防止用張出し部の下部に指先を挿脱する挿入口とで半球型に形成した事を特徴とした請求項１記載の乳幼児用耳栓。
【発明の詳細な説明】
【技術分野】
【０００１】
本発明は、特に乳幼児が睡眠中に不必要な騒音にて驚くと共に、目覚めない様に装着する耳栓に関する。
【背景技術】
【０００２】
乳幼児においては、テレビ音、ラジオ音等の生活音において選別することができず、特に睡眠中においては、異常音として眼をさますと共に、泣き騒ぎ、主婦の家事に支障を来すことともなる。
【発明の概要】
【発明が解決しようとする課題】
【０００３】
乳幼児が睡眠中に不必要な騒音にて驚くと共に、目覚めることなく、主婦が家事に専念できる等の課題を解決する。
【課題を解決するための手段】
【０００４】
本発明は、柔軟性の柔らかい弾性を有するシリコン系樹脂にて形成された乳幼児の左右両耳の外耳道に挿入される細状先端突部と、更に大人の指先が挿入される左右一対の袋部と、この左右一対の袋部を互いに連結する伸長用ゴム紐とで成したことを特徴とするものである。
【０００５】
更に本発明は、前記左右一対の袋部は、細状先端突部との間に外耳道口に接する過挿入防止用張出し部を形成した事を特徴とするものである。
【０００６】
又、本発明は、前記左右一対の袋部は、細状先端突部と過挿入防止用張出し部の下部に指先を挿脱する挿入口とで半球型に形成した事を特徴とするものである。
【発明の効果】
【０００７】
（１）請求項１により、乳幼児が睡眠中に不必要な騒音にて驚くことによって目覚めることがなく、主婦が家事に専念できる。
更に本発明は、左右一対の袋部を伸長用ゴム紐により連結しているから、左右の乳幼児用耳栓が紛失することを軽減できる。
【０００８】
（２）請求項２により、耳栓が外耳道の奥深くまで入り込むのを防止する。
【０００９】
（３）請求項３により、挿入口の袋部は半球型に形成されているから、指先の差し込みが容易に行え、且つ挿脱を容易に行えると共に、乳幼児の耳を傷つけることもない。
【図面の簡単な説明】
【００１０】
【図１】乳幼児の睡眠中の状態を示す斜視図
【図２】乳幼児用耳栓の拡大断面図
【図３】乳幼児用耳栓の使用状態を示す拡大断面図
【図４】左右の乳幼児用耳栓を連結した図
【発明を実施するための形態】
【００１１】
以下本発明を実施形態の図面に基づいて説明する。
図１は乳幼児の睡眠中の状態を示す斜視図であって、柔軟性の柔らかい弾性を有するシリコン系樹脂にて形成された乳幼児用耳栓本体１が乳幼児Ｃの左右両耳Ｃｂの外耳道Ｃｃに挿入されている。
【００１２】
而して、この乳幼児用耳栓本体１は具体的に説明すると、図２に示す如く、細状先端突部２とこれに連なると共に、大人の指先Ｈが挿入される左右一対の袋部４とを形成している。
更に、この袋部４は一対とすることによって紛失するのを防ぐことから、互いに伸長用ゴム紐５にて連結している。
また本発明は、前記左右一対の袋部４は、細状先端突部２との間に外耳道口Ｃｄに接する過挿入防止用張出し部３を形成している。
【００１３】
図４は乳幼児用耳栓本体１を左右一対とした状態を示す図であって、細状先端突部２を乳幼児Ｃの外耳道Ｃｃに挿入し過挿入防止用張出し部３を設ける事により所定以上に挿入される事がなく、袋部４は半球型の中空形状を成し大人の指先Ｈと大人の親指Ｈａで摘む事で乳幼児用耳栓本体1の出し入れが容易に出来、更に乳幼児Ｃの外耳道Ｃｃを傷つけることを防止している。
【００１４】
而して、乳幼児用耳栓本体１は一体型で形成されており、耐熱性、耐薬品性に優れ、且つ適度な柔軟性を有する素材、例えばシリコン樹脂を使用することによって遮音性が優れると共に乳幼児の耳Ｃａに装着する際、適度な弾力を有するため違和感を軽減出来る。
【００１５】
更に、乳幼児用耳栓本体１は伸長用ゴム紐５によって左右一対とすることによって、個々のものに比し、紛失することも軽減できる。
また、伸長用ゴム紐５の両端結合末端には留め具６を付けることによって、任意の型や絵柄を使用し、乳幼児Ｃの着用中の衣服やよだれ掛けに留め、誤飲防止を図っている。
【符号の説明】
【００１６】
１    乳幼児用耳栓本体
２    細状先端突部
３    過挿入防止用張出し部
４    袋部
５    伸長用ゴム紐
６    留め具
Ｃ    乳幼児
Ｃａ  乳幼児の耳
Ｃｂ  左右両耳
Ｃｃ  外耳道
Ｃｄ  外耳道口
Ｈ    大人の指先
Ｈａ  大人の親指
【図１】
2013158645.tif 000003
【図２】
2013158645.tif 000004
【図３】
2013158645.tif 000005
【図４】
2013158645.tif 000006
【手続補正書】
【提出日】平成25年2月21日(2013.2.21)
【手続補正１】
【補正対象書類名】特許請求の範囲
【補正対象項目名】全文
【補正方法】変更
【補正の内容】
【特許請求の範囲】
【請求項１】
柔軟性の柔らかい弾性を有するシリコン系樹脂にて形成された乳幼児の左右両耳の外耳道に挿入される細状先端突部と、更に大人の指先が挿入される左右一対の袋部と、この左右一対の袋部のそれぞれの側端に連ねられた紐とで成したことを特徴とする乳幼児用耳栓。
【請求項２】
前記左右一対の袋部のそれぞれの側端に連ねられた紐は、前記左右一対の袋部を互いに連結する伸長用ゴム紐としたことを特徴とした請求項１記載の乳幼児用耳栓。
【請求項３】
前記左右一対の袋部のそれぞれの側端に連ねられた紐は、一本の伸長用ゴム紐とし、且つこの伸長用ゴム紐の中央部に留め具を設けたことを特徴とする請求項２記載の乳幼児用耳栓。
【請求項４】
前記左右一対の袋部は、細状先端突部との間に外耳道口に接する過挿入防止用張出し部を形成したことを特徴とした請求項１記載の乳幼児用耳栓。
【請求項５】
前記左右一対の袋部は、細状先端突部と過挿入防止用張出し部の下部に指先を挿脱する挿入口とで半球型に形成したことを特徴とした請求項１記載の乳幼児用耳栓。
【手続補正２】
【補正対象書類名】明細書
【補正対象項目名】全文
【補正方法】変更
【補正の内容】
【発明の詳細な説明】
【技術分野】
【０００１】
本発明は、特に乳幼児が睡眠中に不必要な騒音にて驚くと共に、目覚めない様に装着する耳栓に関する。
【背景技術】
【０００２】
乳幼児においては、テレビ音、ラジオ音等の生活音において選別することができず、特に睡眠中においては、異常音として眼をさますと共に、泣き騒ぎ、主婦の家事に支障を来すことともなる。
【発明の概要】
【発明が解決しようとする課題】
【０００３】
乳幼児が睡眠中に不必要な騒音にて驚くと共に、目覚めることなく、主婦が家事に専念できる等の課題を解決する。
【課題を解決するための手段】
【０００４】
本発明は、柔軟性の柔らかい弾性を有するシリコン系樹脂にて形成された乳幼児の左右両耳の外耳道に挿入される細状先端突部と、更に大人の指先が挿入される左右一対の袋部と、この左右一対の袋部のそれぞれの側端に連ねられた紐とで成したことを特徴とするものである。
【０００５】
更に本発明は、前記左右一対の袋部のそれぞれの側端に連ねられた紐は、前記左右一対の袋部を互いに連結する伸長用ゴム紐としたことを特徴とするものである。
【０００６】
更に本発明は、前記左右一対の袋部のそれぞれの側端に連ねられた紐は、一本の伸長用ゴム紐とし、且つこの伸長用ゴム紐の中央部に留め具を設けたことを特徴とするものである。
【０００７】
更に本発明は、前記左右一対の袋部は、細状先端突部との間に外耳道口に接する過挿入防止用張出し部を形成したことを特徴とするものである。
【０００８】
又、本発明は、前記左右一対の袋部は、細状先端突部と過挿入防止用張出し部の下部に指先を挿脱する挿入口とで半球型に形成したことを特徴とするものである。
【発明の効果】
【０００９】
（１）請求項１により、乳幼児が睡眠中に不必要な騒音にて驚くことによって
目覚めることがなく、主婦が家事に専念でき、且つ「自由な時間」を設けるこ
とができる。
更に本発明は、左右一対の袋部の、それぞれの側端に連ねられた左右個々の紐を設けることにより、乳幼児による誤飲防止と乳幼児用耳栓の紛失防止を図ることができる。
【００１０】
（２）請求項２により、左右一対の袋部の、それぞれの側端に連ねられた紐によって左右袋部は常に一対となって、一方のみが紛失することはない。
【００１１】
（３）請求項３により、左右一対の袋部を伸長用ゴム紐により連結し、伸長用ゴム紐の中央部に留め具を設けることにより、乳幼児による誤飲防止と乳幼児用耳栓の紛失防止を図ることができる。
【００１２】
（４）請求項４により、耳栓が外耳道の奥深くまで入り込むのを防止することができる。
【００１３】
（５）請求項５により、挿入口の袋部は半球型に形成されているから、指先の
差し込みが容易に行え、且つ挿脱を容易に行えると共に、乳幼児の耳を傷つけ
ることもない。
【図面の簡単な説明】
【００１４】
【図１】乳幼児の睡眠中の状態を示す斜視図
【図２】乳幼児用耳栓の拡大断面図
【図３】乳幼児用耳栓の使用状態を示す拡大断面図
【図４】左右の乳幼児用耳栓を連結した図
【発明を実施するための形態】
【００１５】
以下本発明を実施形態の図面に基づいて説明する。
図１は乳幼児の睡眠中の状態を示す斜視図であって、柔軟性の柔らかい弾性を有するシリコン系樹脂にて形成された乳幼児用耳栓本体１が乳幼児Ｃの左右両耳Ｃｂの外耳道Ｃｃに挿入されている。
【００１６】
而して、この乳幼児用耳栓本体１は具体的に説明すると、図２に示す如く、中空、若しくは非中空状である細状先端突部２とこれに連なると共に、大人の指先Ｈが挿入される左右一対の袋部４とを形成している。
この左右一対の袋部４にはそれぞれの伸長用ゴム紐５の一端５ａが連ねられており、図１に示す如く、乳幼児Ｃの衣服等に一端５ａに止めている。
更に、この袋部４は一対とすることによって紛失するのを防ぐことから、互いに伸長用ゴム紐５にて左右個々に分けたり、連結することにより双方共に留め具６を設けている。
又、本発明は、前記左右一対の袋部４は、細状先端突部２との間に外耳道口Ｃｄに接する過挿入防止用張出し部３を形成している。
【００１７】
図４は乳幼児用耳栓本体１を左右一対とした状態を示す図であって、細状先端突部２を乳幼児Ｃの外耳道Ｃｃに挿入し過挿入防止用張出し部３を設けることにより所定以上に挿入されることがなく、袋部４は半球型の中空形状を成し大人の指先Ｈと大人の親指Ｈａで摘むことで乳幼児用耳栓本体1の出し入れが容易にでき、更に乳幼児Ｃの外耳道Ｃｃを傷つけることを防止している。
【００１８】
而して、乳幼児用耳栓本体１は一体型で形成されており、耐熱性、耐薬品性に優れ、且つ適度な柔軟性を有する素材、例えばシリコン樹脂を使用することによって遮音性が優れると共に乳幼児の耳Ｃａに装着する際、適度な弾力を有するため違和感を軽減できる。
【００１９】
更に、乳幼児用耳栓本体１は伸長用ゴム紐５によって左右一対とすることによって、個々のものに比し、紛失することを可及的に改善できる。
又、伸長用ゴム紐５の周りに布、例えば乳幼児Ｃの肌に優しいガーゼ生地を巻くことにより小さい乳幼児用耳栓本体１の誤飲防止と伸長用ゴム紐５が乳幼児Ｃの手や指に巻き付くことを防ぐカバーの役目としても使用できる。
勿論、左右個々に分かれた伸長用ゴム紐５、若しくは連結された伸長用ゴム紐５には留め具６を付けることによって、任意の型や絵柄を使用し、乳幼児Ｃの着用中の衣服やよだれ掛けに留め、誤飲防止と乳幼児用耳栓本体１の紛失防止を図ることもできる。
【符号の説明】
【００２０】
１    乳幼児用耳栓本体
２    細状先端突部
３    過挿入防止用張出し部
４    袋部
５    伸長用ゴム紐
６    留め具
Ｃ    乳幼児
Ｃａ  乳幼児の耳
Ｃｂ  左右両耳
Ｃｃ  外耳道
Ｃｄ  外耳道口
Ｈ    大人の指先
Ｈａ  大人の親指
【手続補正４】
【補正対象書類名】図面
【補正対象項目名】全図
【補正方法】変更
【補正の内容】
【図１】
2013158645.tif 000007
【図２】
2013158645.tif 000008
【図３】
2013158645.tif 000009
【図４】
2013158645.tif 000010
【手続補正書】
【提出日】平成25年5月1日(2013.5.1)
【手続補正１】
【補正対象書類名】特許請求の範囲
【補正対象項目名】全文
【補正方法】変更
【補正の内容】
【特許請求の範囲】
【請求項１】
柔軟性の柔らかい弾性を有するシリコン系樹脂にて形成された乳幼児の左右両耳の外耳道に挿入される細状先端突部と、更に大人の指先が挿入される左右一対の袋部と、この左右一対の袋部のそれぞれの側端に連ねられた紐とで成したことを特徴とする乳幼児用耳栓。
【請求項２】
前記左右一対の袋部のそれぞれの側端に連ねられた紐は、前記左右一対の袋部を互いに連結する伸長用ゴム紐としたことを特徴とした請求項１記載の乳幼児用耳栓。
【請求項３】
前記左右一対の袋部のそれぞれの側端に連ねられた紐は、一本の伸長用ゴム紐とし、且つこの伸長用ゴム紐の中央部に留め具を設けたことを特徴とする請求項２記載の乳幼児用耳栓。
【請求項４】
前記左右一対の袋部は、細状先端突部との間に外耳道口に接する過挿入防止用張出し部を形成したことを特徴とした請求項１記載の乳幼児用耳栓。
【請求項５】
前記左右一対の袋部は、細状先端突部と過挿入防止用張出し部の下部に指先を挿脱する挿入口とで半球型に形成したことを特徴とした請求項１記載の乳幼児用耳栓。
【手続補正２】
【補正対象書類名】明細書
【補正対象項目名】全文
【補正方法】変更
【補正の内容】
【発明の詳細な説明】
【技術分野】
【０００１】
本発明は、特に乳幼児が睡眠中に不必要な騒音にて驚くと共に、目覚めない様に装着する耳栓に関する。
【背景技術】
【０００２】
乳幼児においては、テレビ音、ラジオ音等の生活音において選別することができず、特に睡眠中においては、異常音として眼をさますと共に、泣き騒ぎ、主婦の家事に支障を来すことともなる。
【発明の概要】
【発明が解決しようとする課題】
【０００３】
乳幼児が睡眠中に不必要な騒音にて驚くと共に、目覚めることなく、主婦が家事に専念できる等の課題を解決する。
【課題を解決するための手段】
【０００４】
本発明は、柔軟性の柔らかい弾性を有するシリコン系樹脂にて形成された乳幼児の左右両耳の外耳道に挿入される細状先端突部と、更に大人の指先が挿入される左右一対の袋部と、この左右一対の袋部のそれぞれの側端に連ねられた紐とで成したことを特徴とするものである。
【０００５】
更に本発明は、前記左右一対の袋部のそれぞれの側端に連ねられた紐は、前記左右一対の袋部を互いに連結する伸長用ゴム紐としたことを特徴とするものである。
【０００６】
更に本発明は、前記左右一対の袋部のそれぞれの側端に連ねられた紐は、一本の伸長用ゴム紐とし、且つこの伸長用ゴム紐の中央部に留め具を設けたことを特徴とするものである。
【０００７】
更に本発明は、前記左右一対の袋部は、細状先端突部との間に外耳道口に接する過挿入防止用張出し部を形成したことを特徴とするものである。
【０００８】
又、本発明は、前記左右一対の袋部は、細状先端突部と過挿入防止用張出し部の下部に指先を挿脱する挿入口とで半球型に形成したことを特徴とするものである。
【発明の効果】
【０００９】
（１）請求項１により、乳幼児が睡眠中に不必要な騒音にて驚くことによって
目覚めることがなく、主婦が家事に専念でき、且つ「自由な時間」を設けるこ
とができる。
更に本発明は、左右一対の袋部の、それぞれの側端に連ねられた左右個々の紐を設けることにより、乳幼児による誤飲防止と乳幼児用耳栓の紛失防止を図ることができる。
【００１０】
（２）請求項２により、左右一対の袋部の、それぞれの側端に連ねられた紐によって左右袋部は常に一対となって、一方のみが紛失することはない。
【００１１】
（３）請求項３により、左右一対の袋部を伸長用ゴム紐により連結し、伸長用ゴム紐の中央部に留め具を設けることにより、乳幼児による誤飲防止と乳幼児用耳栓の紛失防止を図ることができる。
【００１２】
（４）請求項４により、耳栓が外耳道の奥深くまで入り込むのを防止することができる。
【００１３】
（５）請求項５により、挿入口の袋部は半球型に形成されているから、指先の
差し込みが容易に行え、且つ挿脱を容易に行えると共に、乳幼児の耳を傷つけ
ることもない。
【図面の簡単な説明】
【００１４】
【図１】乳幼児の睡眠中の状態を示す斜視図
【図２】乳幼児用耳栓の拡大断面図
【図３】乳幼児用耳栓の使用状態を示す拡大断面図
【図４】左右の乳幼児用耳栓を連結した図
【発明を実施するための形態】
【００１５】
以下本発明を実施形態の図面に基づいて説明する。
図１は乳幼児の睡眠中の状態を示す斜視図であって、柔軟性の柔らかい弾性を有するシリコン系樹脂にて形成された乳幼児用耳栓本体１が乳幼児Ｃの左右両耳Ｃｂの外耳道Ｃｃに挿入されている。
【００１６】
而して、この乳幼児用耳栓本体１は具体的に説明すると、図２に示す如く、細状先端突部２とこれに連なると共に、大人の指先Ｈが挿入される左右一対の袋部４とを形成している。
この左右一対の袋部４にはそれぞれの伸長用ゴム紐５の一端５ａが連ねられており、図１に示す如く、乳幼児Ｃの衣服等に一端５ａに止めている。
更に、この袋部４は一対とすることによって紛失するのを防ぐことから、互いに伸長用ゴム紐５にて連結している。
また本発明は、前記左右一対の袋部４は、細状先端突部２との間に外耳道口Ｃｄに接する過挿入防止用張出し部３を形成している。
【００１７】
図４は乳幼児用耳栓本体１を左右一対とした状態を示す図であって、細状先端突部２を乳幼児Ｃの外耳道Ｃｃに挿入し過挿入防止用張出し部３を設けることにより所定以上に挿入されることがなく、袋部４は半球型の中空形状を成し大人の指先Ｈと大人の親指Ｈａで摘むことで乳幼児用耳栓本体1の出し入れが容易にでき、更に乳幼児Ｃの外耳道Ｃｃを傷つけることを防止している。
【００１８】
而して、乳幼児用耳栓本体１は一体型で形成されており、耐熱性、耐薬品性に優れ、且つ適度な柔軟性を有する素材、例えばシリコン樹脂を使用することによって遮音性が優れると共に乳幼児の耳Ｃａに装着する際、適度な弾力を有するため違和感を軽減できる。
【００１９】
更に、乳幼児用耳栓本体１は伸長用ゴム紐５によって左右一対とすることによって、個々のものに比し、紛失することを可及的に改善できる。
また、伸長用ゴム紐５の両端結合末端には留め具６を付けることによって、任意の型や絵柄を使用し、乳幼児Ｃの着用中の衣服やよだれ掛けに留め、誤飲防止を図っている。
【符号の説明】
【００２０】
１    乳幼児用耳栓本体
２    細状先端突部
３    過挿入防止用張出し部
４    袋部
５    伸長用ゴム紐
６    留め具
Ｃ    乳幼児
Ｃａ  乳幼児の耳
Ｃｂ  左右両耳
Ｃｃ  外耳道
Ｃｄ  外耳道口
Ｈ    大人の指先
Ｈａ  大人の親指